(57)【要約】【課題】  プレイヤ本人のみならず、周囲のプレイヤ等へのアッピール効果に優れ、セキュリティーの向上を図ること等も可能なゲームシステムを提供する。【解決手段】  発光性の画像表示画面（２１）と、ゲーム機（１）への接続端子部（２２）と、ゲーム機の制御装置（１０４）から送出されるゲーム履歴情報及び画像表示情報を含むゲーム情報を記録するメモリと、ゲーム機の制御装置（１０４）からの指令に応動し、上記画像表示情報に基づきその画像表示画面（２１）に所要の画像をディスプレイするためのドライブ回路と、記録されたゲーム情報を出力し、ゲーム機のディスプレイ（１０２）及び当該ゲーム用カードの画像表示画面（２１）に表示する回路と、を具備した接触式ゲーム用カード（２）を用いることを特徴とする。また、本発明は、非接触式のものとして構成することも可能である。【選択図】  図１
2005028104.tif 000002
【特許請求の範囲】
【請求項１】
ゲームのためプレイヤにより操作される入力装置（１０１）と、ゲームの進展状況を表示するディスプレイ（１０２）と、予め定められたゲームプログラムに従い、上記入力装置からの入力に応動してゲームを進展させ、その進展状況をディスプレイに表示させる制御装置（１０４）とを具備した、複数のゲーム機（１）と、
通信回線（４）を介してそれら複数のゲーム機（１）に接続され、それらのゲーム機を管理するサーバー（３）と、を備えたゲームシステムにおいて；
各ゲーム機（１）は、更に、発光性の画像表示画面（２１）を具備する接触式ゲーム用カード（２）の接続端子部（２２）を受け入れ得るソケット（１０３）と、当該ソケットに装着された接触式ゲーム用カード（２）と上記制御装置（１０４）との間でゲーム履歴情報及び画像表示情報を含むゲーム情報を授受、交換し得る出入力回路（１０５）と、を具備し；
上記接触式ゲーム用カード（２）は、更に、ゲーム機の制御装置（１０４）から送出される上記ゲーム情報を記録するメモリと、上記制御装置からの指令に応動し、上記メモリに記録した画像表示情報に基づきその画像表示画面（２１）に所要の画像をディスプレイするためのドライブ回路と、上記メモリに記録されたゲーム情報を出力し、ゲーム機のディスプレイ（１０２）及び当該接触式ゲーム用カードの画像表示画面（２１）に表示する回路と、を具備する；
ことを特徴とするゲームシステム。
【請求項２】
ゲームのためプレイヤにより操作される入力装置（１０１）と、ゲームの進展状況を表示するディスプレイ（１０２）と、予め定められたゲームプログラムに従い、上記入力装置からの入力に応動してゲームを進展させ、その進展状況をディスプレイに表示させる制御装置（１０４）とを具備した、複数のゲーム機（１）と、
通信回線（４）を介してそれら複数のゲーム機（１）に接続され、それらのゲーム機を管理するサーバー（３）と、を備えたゲームシステムにおいて；
各ゲーム機（１）は、更に、発光性の画像表示画面（５１）を具備する非接触式ゲーム用カード（５）と上記制御装置（１０４）との間でゲーム履歴情報及び画像表示情報を含むゲーム情報をワイヤレス形式で授受、交換し得る通信回路（１１１）を具備し；
上記非接触式ゲーム用カード（５）は、更に、上記ゲーム機の制御装置（１０４）から送信される上記ゲーム情報及び各種制御信号を受信すると共に、必要に応じてカード側のデータをゲーム機側へ送信する通信回路（５２ａ）と、当該受信したゲーム情報を記録するメモリ（５２ｂ）と、上記制御装置からワイヤレス形式で送られてくる制御信号に応動し、上記メモリに記録した画像表示情報に基づきその画像表示画面（５１）に所要の画像をディスプレイするためのドライブ回路（５２ｃ）と、上記メモリ（５２ｂ）に記録されたゲーム情報を出力し、ゲーム機のディスプレイ（１０２）及び当該非接触式ゲーム用カードの画像表示画面（５１）に表示する回路（５２ｄ）と、を具備する；
ことを特徴とするゲームシステム。
【請求項３】
上記接触式ゲーム用カード（２）を装着するゲーム機（１）のソケット（１０３）が、ゲーム機周囲の客が注目し易い位置に設けられる請求項１に記載のゲームシステム。
【請求項４】
上記ゲーム機（１）から非接触式ゲーム用カード（５）への無接点電力伝送を行うため、ゲーム機（１）側には、送電用１次側コイル（１１２ａ）を備えた無接点送電回路（１１２）を設けると共に、非接触式ゲーム用カード（５）側には、受電用２次側コイル（５３ａ）を備えた無接点受電回路（５３）を設けた請求項２に記載のゲームシステム。
【請求項５】
上記接触式又は非接触式ゲーム用カード（２，５）が追加チャージが可能なプリペイドカード機能を有する請求項１又は２に記載のゲームシステム。
【請求項６】
上記接触式又は非接触式ゲーム用カード（２，５）の発光性の画像表示画面（２１，５１）には、ゲーム中、ゲーム機のディスプレイ（１０２）と同一の画像が表示される請求項１又は２に記載のゲームシステム。
【請求項７】
上記接触式又は非接触式ゲーム用カード（２，５）の各ゲーム用カードに係るゲーム履歴が、サーバー（３）に記録され、プレイヤからのリクエストに応じて、指定されたゲーム履歴が当該ゲーム用カードが用いられているゲーム機に送信され、当該ゲーム用カードの発光性の画像表示画面（２１，５１）に表示される請求項１又は２に記載のゲームシステム。
【請求項８】
上記接触式又は非接触式ゲーム用カード（２，５）の発光性の画像表示画面（２１，５１）に表示される画像が、現に行なわれているゲームの進展状況を表現する画像である請求項１又は２に記載のゲームシステム。
【請求項９】
上記接触式又は非接触式ゲーム用カード（２，５）の発光性の画像表示画面（２１，５１）を有機エレクトロルミネッセンス素子により構成した請求項１又は２に記載のゲームシステム。
【請求項１０】
上記接触式又は非接触式ゲーム用カード（２，５）の発光性の画像表示画面（２１，５１）を発光ダイオードにより構成した請求項１又は２に記載のゲームシステム。
【請求項１１】
上記接触式又は非接触式ゲーム用カード（２，５）の発光性の画像表示画面（２１，５１）を液晶表示板により構成した請求項１又は２に記載のゲームシステム。
【請求項１２】
請求項２に記載のゲームシステムに使用するための非接触式ゲーム用カード（５）であって、
発光性の画像表示画面（５１）と、
ゲーム機（１）の制御装置（１０４）からワイヤレス形式で送信されるゲーム情報及び各種制御信号を受信すると共に、必要に応じてカード側のデータをゲーム機側へ送信する通信回路（５２ａ）と、
当該受信したゲーム情報を記録するメモリ（５２ｂ）と、
上記制御装置からワイヤレス形式で送られてくる制御信号に応動し、上記メモリに記録した画像表示情報に基づきその画像表示画面（５１）に所要の画像をディスプレイするためのドライブ回路（５２ｃ）と、
上記メモリ（５２ｂ）に記録されたゲーム情報を出力し、ゲーム機のディスプレイ（１０２）及び当該非接触式ゲーム用カードの画像表示画面（５１）に表示する回路（５２ｄ）と、
ゲーム機（１）側に設けた無接点送電回路（１１２）に対応する無接点受電回路（５３）と、を具備する；
ことを特徴とする非接触式ゲーム用カード。
【発明の詳細な説明】
【技術分野】
【０００１】
本発明は、画像表示画面を備えたゲーム用カードを用いるゲームシステムに関する。
【背景技術】
【０００２】
複数のゲーム機を、通信回線を介してサーバーに接続し、ゲームに必要なプログラムその他のデータをサーバーからゲーム機へダウンロードすると共に、ゲーム機の稼働状況その他、ゲーム機の管理運営に必要なデータをゲーム機からサーバーへアップロードするようにして、複数のゲーム機を効率良く管理運営するように構成したゲームシステムは、従来から知られている。
また、プレイヤにゲーム用カードを交付し、このカードにプレイヤの過去のゲーム成績等を記録して、次のプレイ時にそれらのデータを利用するようにしたゲーム機も知られている。
【０００３】
例えば、下記の特許文献１（特開２００３−１１７２４５号公報）には、カード（ゲームデータの記録媒体）を用いることによって、遊戯者の対戦成績を累積的に記録、更新し、前回の対戦ゲームと連続性のあるゲームを楽しめるようにしたゲーム装置が開示されており、そのカードの表面に、例えば、遊戯者名、階級、使用キャラクタ名などの文字や図柄を、更新可能なようにプリントする印刷表示領域を設ける例が記載されている。
【０００４】
【特許文献１】特開２００３−１１７２４５号公報
【０００５】
然しながら、従来公知のカードを用いるゲーム装置は、カードが単に記録媒体として利用されているだけで、その表面に各種文字データや画像をプリントすることが可能であったとしても、地味でアッピール力に乏しく、そのカード自体を一種のパーフォーマンスの媒体としたり、コレクターズアイテムとする程のユニークさには乏しかった。
【発明の開示】
【発明が解決しようとする課題】
【０００６】
本発明は、上記の問題点を解決するためなされたものであり、その目的とするところは、視覚的な効果の高いゲーム用カードを用いることにより、プレイヤ本人のみならず、周囲のプレイヤその他の人々へのアッピール効果に優れ、そのカードはコレクターズアイテムとしての対象にもなり、セキュリティーも向上させることが可能なゲームシステムを提供することにある。
【課題を解決するための手段】
【０００７】
本発明の上記の目的は、
ゲームのためプレイヤにより操作される入力装置と、ゲームの進展状況を表示するディスプレイと、予め定められたゲームプログラムに従い、上記入力装置からの入力に応動してゲームを進展させ、その進展状況をディスプレイに表示させる制御装置とを具備した、複数のゲーム機と、
通信回線を介してそれら複数のゲーム機に接続され、それらのゲーム機を管理するサーバーと、を備えたゲームシステムにおいて；
各ゲーム機は、更に、発光性の画像表示画面を具備する接触式ゲーム用カードの接続端子部を受け入れ得るソケットと、当該ソケットに装着された接触式ゲーム用カードと上記制御装置との間でゲーム履歴情報及び画像表示情報を含むゲーム情報を授受、交換し得る出入力回路と、を具備し；
上記接触式ゲーム用カードは、更に、ゲーム機の制御装置から送出される上記ゲーム情報を記録するメモリと、上記制御装置からの指令に応動し、上記メモリに記録した画像表示情報に基づきその画像表示画面に所要の画像をディスプレイするためのドライブ回路と、上記メモリに記録されたゲーム情報を出力し、ゲーム機のディスプレイ及び当該接触式ゲーム用カードの画像表示画面に表示する回路と、を具備する；
ことを特徴とするゲームシステムによって達成できる。
【０００８】
また、本発明の上記の目的は、
ゲームのためプレイヤにより操作される入力装置と、ゲームの進展状況を表示するディスプレイと、予め定められたゲームプログラムに従い、上記入力装置からの入力に応動してゲームを進展させ、その進展状況をディスプレイに表示させる制御装置とを具備した、複数のゲーム機と、
通信回線を介してそれら複数のゲーム機に接続され、それらのゲーム機を管理するサーバーと、を備えたゲームシステムにおいて；
各ゲーム機は、更に、発光性の画像表示画面を具備する非接触式ゲーム用カードと上記制御装置との間でゲーム履歴情報及び画像表示情報を含むゲーム情報をワイヤレス形式で授受、交換し得る通信回路を具備し；
上記非接触式ゲーム用カードは、更に、上記ゲーム機の制御装置から送信される上記ゲーム情報及び各種制御信号を受信すると共に、必要に応じてカード側のデータをゲーム機側へ送信する通信回路と、当該受信したゲーム情報を記録するメモリと、上記制御装置からワイヤレス形式で送られてくる制御信号に応動し、上記メモリに記録した画像表示情報に基づきその画像表示画面に所要の画像をディスプレイするためのドライブ回路と、上記メモリに記録されたゲーム情報を出力し、ゲーム機のディスプレイ及び当該非接触式ゲーム用カードの画像表示画面に表示する回路と、を具備する；
ことを特徴とするゲームシステムによっても達成できる。
【０００９】
上記接触式ゲーム用カードを装着するゲーム機のソケットは、ゲーム機周囲の客が注目し易い位置に設けられることが望ましい。
非接触式ゲーム用カードへは、ゲーム機から無接点で電力伝送を行うことが望ましく、そのため、ゲーム機側には、送電用１次側コイルを備えた無接点送電回路を設けると共に、非接触式ゲーム用カード側には、受電用２次側コイルを備えた無接点受電回路を設けることが望ましい。
上記接触式又は非接触式ゲーム用カードは、追加チャージが可能なプリペイドカード機能を有するものとすることが推奨される。
上記接触式又は非接触式ゲーム用カードの発光性の画像表示画面には、ゲーム中、ゲーム機のディスプレイと同一の画像が表示されるように構成することが可能である。
上記接触式又は非接触式ゲーム用カードの各ゲーム用カードに係るゲーム履歴が、サーバーに記録され、プレイヤからのリクエストに応じて、指定されたゲーム履歴が当該ゲーム用カードが用いられているゲーム機に送信され、当該ゲーム用カードの発光性の画像表示画面に表示されるように構成することも可能である。
上記接触式又は非接触式ゲーム用カードの発光性の画像表示画面に表示される画像が、現に行なわれているゲームの進展状況を表現する動画当の画像であるように構成することも推奨される。
上記接触式又は非接触式ゲーム用カードの発光性の画像表示画面の素材としては、有機エレクトロルミネッセンス素子、発光ダイオード、液晶表示板等々を好適に用いることができる。
また、本発明の前記の目的は、本発明に特有の非接触式ゲーム用カードを用いること、即ち、
発光性の画像表示画面と、
ゲーム機の制御装置から送信されるゲーム情報及び各種制御信号を受信すると共に、必要に応じてカード側のデータをゲーム機側へ送信する通信回路と、
当該受信したゲーム情報を記録するメモリと、
上記制御装置からワイヤレス形式で送られてくる制御信号に応動し、上記メモリに記録した画像表示情報に基づきその画像表示画面に所要の画像をディスプレイするためのドライブ回路と、
上記メモリに記録されたゲーム情報を出力し、ゲーム機のディスプレイ及び当該非接触式ゲーム用カードの画像表示画面に表示する回路と、
ゲーム機側に設けた無接点送電回路に対応する無接点受電回路と、を具備する；  ことを特徴とする非接触式ゲーム用カードを用いてゲームを行うことによって一層効果的に達成できる。
【発明の効果】
【００１０】
上記の如き構成であると、ゲーム用カード自体に画像表示画面が設けられているため、従来のものに比べてその視覚的な効果が格段に高く、プレイヤ本人のみならず、周囲のプレイヤやその他の人々へのアッピール効果に優れ、従って、そのカードがコレクターズアイテムとしての対象にもなり、セキュリティーの向上を図ることも可能なゲームシステムを提供することが可能となるものである。また特に、非接触式のゲーム用カードを用いる場合には、ソケットに接触式カードを差し込んで使用する場合に比べて意外性が高く、周囲の人々の注目を引きやすいので、そのアッピール効果は一層向上するものである。
【発明を実施するための最良の形態】
【００１１】
以下、図面を参照しつつ、本発明を実施するための最良の形態について説明する。
【実施例】
【００１２】
図１は、本発明に係るゲームシステムの一実施例の全体構成を示す説明図、
図２は、本発明に係るゲームシステムで用いられる接触式ゲーム用カードの一実施例を示す説明図、
図３は、本発明に係るゲームシステムにおけるゲーム機と接触式ゲーム用カードの機能を説明するためのブロック回路図、
図４は、非接触式ゲーム用カードを用いる本発明に係るゲームシステムの機能を説明するためのブロック回路図、
図５は、本発明に係る非接触式ゲーム用カードの一実施例を示す説明図、である。
【００１３】
まず、図１〜図３に示す実施例について説明する。
図中、１はゲーム機、２は接触式ゲーム用カード、３はサーバー、４は通信回線である。
ゲーム機１において、１０１はその入力装置、１０２はディスプレイ、１０３はソケット、１０４は制御装置、１０５はカードへの出入力回路、１０６はＲＯＭ、１０７はＲＡＭ、１０８はビデオインターフェイス、１０９はオーディオインターフェイス、１１０はスピーカである。
また、接触式ゲーム用カード２において、２１はその画像表示画面、２２は接続端子部であり、接続端子部２２には、ＣＯＭ用の端子２２１と、指定色1 〜４用のそれぞれの端子２２２〜２２５が設けられている。
【００１４】
図１に示す如く、本発明に係るゲームシステムにおいては、複数のゲーム機１が、通信回線４を介してサーバー３に接続されている。
各ゲーム機１は、ゲームのためプレイヤにより操作されるジョイスティックや押しボタン等から成る入力装置１０１と、ゲームの進展状況を表示するディスプレイ１０２と、接触式ゲーム用カード２の接続端子部２２を受け入れ得るソケット１０３とを備えている。
【００１５】
また、ゲーム機１の機体内部の回路には、図３に示す如く、予め定められたゲームプログラムに従い、上記入力装置からの入力に応動してゲームを進展させ、その進展状況をディスプレイに表示させる制御装置１０４や、上記ソケット１０３に装着された接触式ゲーム用カード２と上記制御装置１０４との間でゲーム情報を授受、交換し得る出入力回路１０５が設けられている。ＲＯＭ１０６は、ゲームに必要な各種データや作動用プログラムを記録するメモリであり、ＲＡＭ１０７は、制御装置１０４の作動に必要なデータの授受を行なうためのメモリである。
【００１６】
プレイヤが購入等して所持する接触式ゲーム用カード２には、画像表示画面２１と接続端子部２２が設けられ、更に、その内部には、図では省略したが、ゲーム機の前記制御装置１０４から送出されるゲーム履歴情報及び画像表示情報を含むゲーム情報を記録するメモリと、上記制御装置からの指令に応動し、上記画像表示情報に基づき画像表示画面２１に所要の動画等の画像をディスプレイするためのドライブ回路と、記録されたゲーム情報を出力し、ゲーム機のディスプレイ１０２及び当該接触式ゲーム用カードの画像表示画面２１に表示する回路とが備えられている。
この接触式ゲーム用カード２の画像表示画面２１の部分は、有機エレクトロルミネッセンス素子、発光ダイオード、液晶表示板等の発光性の画像表示デバイスによって構成される。
【００１７】
なお、この接触式ゲーム用カード２は、通常はプリペイドカードとしての機能も備え、これに記録された金額（もしくは使用可能度数）の範囲内で、各種ゲーム機１を用いて自由にプレイでき、また、残量が少なくなると追加チャージも可能なようになっている。
【００１８】
ゲームを行うとき、プレイヤがその接触式ゲーム用カード２をゲーム機のソケット１０３に差し込むと、その接続端子２２１〜２２５を通じて、ゲーム機の制御装置１０４と接触式ゲーム用カード２との間でデータの授受が行われ、制御装置１０４からの指令信号に基づき、カード２内のドライブ回路が作動して、カードの画像表示画面２１上に、各種画像が表示される。
図１中、（ａ）に示すのは、そのプレイヤのこれまでの獲得点数リストを発光表示させた例であり、（ｂ）に示すのは、ゲームに登場するキャラクタの映像を発光表示させた例である。カードの画像表示画面２１上に表示するこれら画像は任意であり、ゲーム機のディスプレイと同一の動く映像を表示したり、現に行なわれているゲームの進展状況を表現する画像等々、様々な映像を表示できる。
【００１９】
接触式ゲーム用カード２を装着するゲーム機のソケット１０３は、図１に示す如く、ゲーム機周囲の客が注目し易い位置に設けられることが望ましく、そうすることによって、周囲の客へのアッピール効果を高めることができ、ゲームやゲーム機の宣伝効果も達成することができる。
【００２０】
なお、通常は、各プレイヤのゲーム履歴はそのプレイヤが所持する接触式ゲーム用カードに記録されるが、当該ゲーム履歴を、サーバー３に記録し、プレイヤからのリクエストに応じて、指定されたゲーム履歴が当該接触式ゲーム用カードが用いられているゲーム機に送信され、当該接触式ゲーム用カードの発光性の画像表示画面２１に表示されるように構成してもよい。
【００２１】
次に、非接触式ゲーム用カードを使用する本発明に係るゲームシステムの実施例について図４及び図５を参照しつゝ説明する。
図４は、非接触式ゲーム用カードを用いるゲームシステムの機能を説明するためのブロック回路図、図５は、当該ゲームシステムに使用する非接触式ゲーム用カードの一実施例を示す説明図である。なお、図５中、左側には非接触式ゲーム用カードの正面図が示され、右側にはそのＡ−Ａ線に沿った断面図が示されている。
図４及び図５中、１１１は非接触式ゲーム用カードとの通信回路（リーダー／ライター）、１１２は無接点送電回路（１次側モジュール）、５は非接触式ゲーム用カード、５０はそのプラスチック基板、５１は画像表示画面、５２はＩＣチップ、５２ａはゲーム機との通信回路、５２ｂはメモリ、５２ｃは画像表示用ドライブ回路、５２ｄはゲーム情報表示回路、５３は無接点受電回路（２次側モジュール）である。
なお、図４中、図３で示したものと同一の構成要素には同一の参照番号を付してある。
【００２２】
この実施例においては、非接触式（ワイヤレス形式）のゲーム用カード５を使用するために、ゲーム機１側には、カードとの間でワイヤレスでデータの授受を行うための通信回路（リーダー／ライター）１１１と、ゲーム用カード５に対してその作動用電力を供給するための無接点送電回路（１次側モジュール）１１２とが設けられ、他方、ゲーム用カード５側には、ゲーム機との通信回路５２ａと、電力供給を受けるための無接点受電回路（２次側モジュール）５３とが設けられている。
ゲーム機１側の無接点送電回路（１次側モジュール）１１２には、送電用１次側コイル１１２ａが設けられ、ゲーム用カード５側の無接点受電回路（２次側モジュール）５３には受電用２次側コイル５３ａが設けられ、送電用１次側コイル１１２ａに所定の周波数の交流若しくはパルス電流を通じておくことにより、これに受電用２次側コイル５３ａを近づけると受電用２次側コイル５３ａ中に誘導電流を生じ、これを整流することによって、ゲーム用カード５の諸機能を達成するために必要な直流電力が得られるようになっている。必要な電力の授受が行われ得るための両コイル間の距離は、現状では、水平方向５〜１０ｍｍ、高さ方向２〜５ｍｍ、角度は５度程度であるが、将来的には更に向上することが予想される。
なお、ゲーム用カード５側の受電用２次側コイル５３ａは、ゲーム機との間のデータ通信のためのアンテナの役割も兼ねるようになっている。
【００２３】
ゲーム用カード５のＩＣチップ５２には、上記通信回路５２ａのほか、当該通信回路５２ａで受信したゲーム情報を記録するメモリ５２ｂや、画像表示画面５１に所要の画像をディスプレイするためのドライブ回路５２ｃや、上記メモリ５２ｂに記録されたゲーム情報を画像表示画面５１等に表示する回路５２ｄ等々、並びに、上記無接点受電回路（２次側モジュール）５３のうちの受電用２次側コイル５３ａ以外の整流回路その他の回路要素が一緒に組み込まれている。
【００２４】
非接触式ゲーム用カード５の具体的な一実施例は図５に示されており、厚さ数ｍｍのプラスチック基板５０の片面には、図１及び図２の実施例の場合と同様に、有機エレクトロルミネッセンス素子等による発光性の画像表示画面５１が設けられると共に、その内部には、プリント配線等による受電用２次コイル５３ａ（アンテナを兼ねる）や、ＩＣチップ５２が設けられている。
このようなゲーム用カード５は、現在各種利用分野で普及しつつある非接触ＩＣカードのＩＣ内に本発明に必要な各種回路を組み込むと共に、本発明において必須の発光性の画像表示画面５１を新たに取り付けることによって実現可能である。そのように、画像表示画面５１を新たに取り付けることによって本発明のゲーム用カード５として採用し得るものと現時点において考えられる公知の非接触ＩＣカードの具体例としては、例えば、ソニー（株）の製造販売に係る「ＦｅｌｉＣａ（商品名）」や、凸版印刷（株）等の製造販売に係るＲＦＩＤ(無線ＩＣタグ)、等々を利用できる。
【００２５】
上記非接触式ゲーム用カード５の通信回路５２ａは、ゲーム機１の制御装置１０４からその通信回路１１１を介して送信されるゲーム情報及び各種制御信号を受信すると共に、必要に応じてカード側のデータをゲーム機側へ送信する機能を有する。通信回路５２ａで受信したゲーム情報はメモリ５２ｂに記録される。ドライブ回路５２ｃは、ゲーム機１の制御装置１０４から送られてくる制御信号に応動し、メモリ５２ｂに記録された画像表示情報に基づき、所要の画像を画像表示画面５１にディスプレイする。表示回路５２ｄは、メモリ５２ｂに記録されたゲーム情報を出力し、ゲーム機のディスプレイ１０２及びゲーム用カードの画像表示画面５１に表示する機能を有する。
【００２６】
なお、上記の説明では、ゲーム機についても、ゲーム用カードについても、接触式のものと非接触式のものとに分けて説明したが、両方の構成要素を併設して、両方のゲーム用カードに対応可能なゲーム機や、いずれの形式のゲーム機にも対応可能なゲーム用カードとして構成することも可能である。
【００２７】
以上の如く、本発明のゲームシステムでは、ゲーム用カード２又は５の画像表示画面２１又は５１上に、動画その他の各種映像を発光表示させることにより、類似するシステムとの視覚的差別化を図ることが可能になる。特に、非接触式のゲーム用カードを用いる場合には、意外性が高く、注目を引きやすいので、そのアッピール効果は絶大である。
また、ゲーム用カード２又は５に内蔵されるメモリに、カードごとに異なった画像データ等を記録しておくなどして、各カードに独特の特徴を付与することにより、コレクターズアイテムとして普及させることも可能である。
また、このような接触式又は非接触式ゲーム用カードは、従来のカードに比べて複製が困難であるので、セキュリティの向上効果をも達成することができる。
【００２８】
なお、本発明は上記実施例に限定されるものでなく、その目的の範囲内において上記の説明から当業者が容易に想到し得るすべての変更実施例を包摂するものである。
【産業上の利用可能性】
【００２９】
本発明は以上の如く構成されるので、本発明によるときは、視覚的な効果の高いゲーム用カードを用いることにより、プレイヤ本人のみならず、周囲のプレイヤその他の人々へのアッピール効果に優れ、そのカードはコレクターズアイテムとしての対象にもなり、セキュリティーの向上を図ることも可能なゲームシステムを提供し得るものである。
【図面の簡単な説明】
【００３０】
【図１】本発明に係るゲームシステムの一実施例の全体構成を示す説明図である。
【図２】本発明に係るゲームシステムで用いられる接触式ゲーム用カードの一実施例を示す説明図である。
【図３】本発明に係るゲームシステムにおけるゲーム機と接触式ゲーム用カードの機能を説明するためのブロック回路図である。
【図４】非接触式ゲーム用カードを用いる本発明に係るゲームシステムの機能を説明するためのブロック回路図である。
【図５】本発明に係る非接触式ゲーム用カードの一実施例を示す説明図である。
【符号の説明】
【００３１】
１        ゲーム機
１０１    入力装置
１０２    ディスプレイ
１０３    ソケット
１０４    制御装置
１０５    接触式ゲーム用カードへの出入力回路
１０６    ＲＯＭ
１０７    ＲＡＭ
１０８    ビデオインターフェイス
１０９    オーディオインターフェイス
１１０    スピーカ
１１１    非接触式ゲーム用カードとの通信回路（リーダー／ライター）
１１２    無接点送電回路（１次側モジュール）
１１２ａ  送電用１次側コイル
２        接触式ゲーム用カード
２１      画像表示画面
２２      接続端子部
３        サーバー
４        通信回線
５        非接触式ゲーム用カード
５０      プラスチック基板
５１      画像表示画面
５２      ＩＣチップ
５２ａ    ゲーム機との通信回路
５２ｂ    メモリ
５２ｃ    画像表示用ドライブ回路
５２ｄ    ゲーム情報表示回路
５３      無接点受電回路（２次側モジュール）
５３ａ    受電用２次側コイル（アンテナ兼用）
【図１】
2005028104.tif 000003
【図２】
2005028104.tif 000004
【図３】
2005028104.tif 000005
【図４】
2005028104.tif 000006
【図５】
2005028104.tif 000007